(57)【要約】【課題】受信側で印刷させる場合に、受信側の印刷可能サイズと異なる画像データでも伝送して、受信側で印刷し得るようにサイズ変更して送出し得るカラー画像通信装置を提供する。【解決手段】送信開始で、受信側でプリントさせるか否か確認し（ＳＴ１）、受信側でプリントさせる場合はＲｘ　プリントフラグをセットしておき（ＳＴ２）、発呼後、ＤＩＳ信号を受信すると（ＳＴ４、ＳＴ５）、ＲＸプリントフラグをチェックし、フラグが立っている場合に、受信側最大能力と送信データサイズを比較し（ＳＴ７、ＳＴ８）、送信データが小さい場合に、受信サイズと同じになるように余白を付加し（ＳＴ１０）、送信データサイズが大きい場合は、受信最大サイズ分のみを抜き出して（ＳＴ９）、データ送出する（ＳＴ１１）。【選択図】　　　図２
2004135146.tif 000002
【特許請求の範囲】
【請求項１】
ｓＹＣＣカラー方式のデータをファックス送信するカラー画像通信装置であって、受信機側で印刷させたいか否かを確認する印刷要否確認手段と、受信機側で印刷させたい場合は、送信データのサイズを印刷させたい紙サイズに適合するように変更するサイズ変更手段とを備え、受信機側で印刷させたい場合は、紙サイズに適合するように変更したサイズで、印刷させない場合は、そのままのデータサイズで送信するようにしたことを特徴とするカラー画像通信装置。
【請求項２】
送信データのサイズと、受信機側の印刷可能のデータサイズとを比較する手段を備え、送信データサイズの方が小さい場合に、前記受信機側の印刷可能データサイズに対し、足りない部分を余白にして、送出するようにしたことを特徴とする請求項１記載のカラー画像通信装置。
【発明の詳細な説明】
【０００１】
【発明の属する技術分野】
この発明は、ｓ（スタンダード）ＹＣＣカラー方式のデータを送信可能なカラーファクシミリ装置、カラー複合機等のカラー画像通信装置に関する。
【０００２】
【従来の技術】
最近、新しいカラーＦＡＸのプロトコルの提案が国際レベルで審議されている。その対象は、ＣＩＥＬＡＢ色空間を持つカラー方式と、ｓＹＣＣ色空間を持つカラー方式である。一方、デジタルカメラ等のカラーデータを扱える機器では、ｓＹＣＣでデータを生成している。
【０００３】
また、従来ファクシミリ装置において、送信時に、相手機（受信側）の記録紙サイズをファクシミリ通信手順上で得て、読み込まれた原稿サイズと相手機の記録紙サイズと比較し、サイズが異なる時には、相手機の印刷可能な記録紙に合わせて送信原稿を縮小して送信するようにしたものがある（例えば、特許文献１参照）。
【０００４】
【特許文献１】
特開平８−３２７９９号公報
【０００５】
【発明が解決しようとする課題】
上記した従来のカラー画像通信装置では、デジタルカメラ等の撮影画像をプリントすることは可能であるが、撮影画像をファックスで伝送し、受信側でプリントしようとしても、受信側でプリントできるデータサイズがＡ３、Ａ４、Ｂ５、Ｂ４等と所定のものであり、デジタルカメラ等の撮影画像のように、種々のデータサイズのものは、ファックス伝送しても、受信側でプリントできないという問題があった。このような場合、上記特許文献１で示すように、受信側の記録紙サイズを取り込み、受信側の記録紙サイズに合わせて、送信するようにしても良い。しかしながら、ディジタルカメラ等の画像データは、受信側の記録紙サイズよりも小さいことが多く、この場合には、特許文献１記載の技術では、対応できない。また、受信側で印刷させる必要のない場合は、サイズの変更は必要でない。
【０００６】
この発明は上記問題点に着目してなされたものであって、受信側で印刷させる場合に、受信側の印刷可能サイズと異なる小サイズの画像データでも、伝送して受信側で印刷し得るようにサイズを変更して送出し得るカラー画像通信装置を提供することを目的としている。
【０００７】
【課題を解決するための手段】
この発明のカラー画像通信装置は、ｓＹＣＣカラー方式のデータをファックス送信するカラー画像通信装置であって、受信機側で印刷させたいか否かを確認する印刷要否確認手段と、受信機側で印刷させたい場合は、送信データのサイズを印刷させたい紙サイズに適合するように変更するサイズ変更手段とを備え、受信機側で印刷させたい場合は、紙サイズに適合するように変更したサイズで、印刷させない場合は、そのままのデータサイズで送信するようにしている。
【０００８】
この発明のカラー画像通信装置は、送信データのサイズと、受信機側の最大能力のデータサイズとを比較する手段を備え、送信データサイズの方が小さい場合に足りない部分を余白にし、送信データサイズを見かけ上、受信機側の記録可能なサイズと同じにして、送出するようにしても良い。
【０００９】
【発明の実施の形態】
以下、実施の形態により、この発明を更に詳細に説明する。図１に、この発明の実施形態カラー画像通信装置全体の概略構成を示すブロック図を示す。
【００１０】
この実施形態通信装置は、ファクシミリ機能とコピー機能とを備えたいわゆるカラー複合機として構成したもので、主制御部１と、ＮＣＵ（網制御回路：Ｎｅｔｗｏｒｋ　Ｃｏｎｔｒｏｌ　Ｕｎｉｔ）２と、ＭＯＤＥＭ３と、ＲＯＭ４と、ＲＡＭ５と、画像メモリ６と、表示部７と、操作部８と、画像読取部９と、画像記録部１０と、ＣＯＤＥＣ（符号化・復号器：Ｃｏｄｅｒ　ａｎｄ　Ｄｅｃｏｄｅｒ　）１１と、ＬＡＮＩ／Ｆ１２と、バス１３とを備える。
【００１１】
主制御部（ＣＰＵ）１は、この装置を構成する各部を制御する機能を有する。ＮＣＵ２は、通信回線である電話回線網（ＰＳＴＮ）１４との接続を制御すると共に、相手先の電話番号（ＦＡＸ番号を含む）に対応したダイヤル信号を送出する機能及び着信を検出するための機能を備えている。ＭＯＤＥＭ３は、ＩＴＵ（国際電気通信連合）−Ｔ勧告Ｔ．３０、Ｔ．４等に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。
【００１２】
ＲＯＭ４は、この装置を制御するためのプログラムを記憶する。ＲＡＭ５は、データ等を一時的に記憶する。このＲＡＭ５には、ＳＹＣＣカラーデータ記憶用に割り当てられる記憶部を備えている。
【００１３】
画像メモリ６は、受信画像データや画像読取部９で読み取った画像データを一時的に記憶する。表示部（ＬＣＤ）７は、アイコン、キーボタンの表示や、データの送受信に必要なメッセージ内容等を表示する。操作部８はワンタッチキー、登録キー、ＦＡＸモード・コピーモード・スキャナモード等の複数の動作モードについてのモード切り替えを行うための動作モード切替キー、テンキー、スタートキー、その他のキーを有する。画像読取部９は、ＦＡＸ送信するときにあるいはコピーするときに、原稿の画像データを光学的に走査して読み取る。この画像読取部９は、カラー画像の読み取りも可能である。画像記録部１０は、電子写真方式のプリンタよりなり、受信画像データやコピー動作において画像読取部９で読み取った原稿の画像データを記録紙上に記録する。この画像記録部１０は、カラープリントも可能である。ＣＯＤＥＣ１１は、読み取った画像データを送信又は記憶するためにＭＨ、ＭＲ、ＭＭＲ方式等により符号化（エンコード）し、受信画像データを記録するために復号（デコード）する。ＬＡＮＩ／Ｆ１２は、ＰＣ（パーソナルコンピュータ）その他のＬＡＮ１５（ローカルエリアネットワーク）を構成する外部機器と接続され、ここを介して外部機器とのデータ授受を行う。外部ＰＣからｓＹＣＣカラーデータ等のデータ転送の要求を受けると、ＲＡＭ５の記憶部のｓＹＣＣカラー画像データをＬＡＮＩ／Ｆ１２、ＬＡＮ１５を介して、外部ＰＣに転送する。
【００１４】
次に、図２に示すフロー図を参照して、この実施形態装置カラー複合機の送信処理動作を説明する。先ず、ステップＳＴ１においては、受信側でプリントさせるか否か判定する。受信側でプリントさせることについては、予め装置にその旨を設定しておくか、受信側からの通信を受けて設定し、あるいはユーザがキー操作により設定しておいても良い。受信側でプリントさせるか否かの判定は、これらの設定に基づいて行う。受信側でプリントさせる場合には、ステップＳＴ２へ移行する。一方、受信側でプリントさせない場合は、ステップＳＴ２をスキップして、ステップＳＴ３へ移行する。ステップＳＴ２においては、ＲＸプリントフラグをセットする。ＲＸプリントフラグは受信側でプリントさせる場合に立てられる。
【００１５】
ステップＳＴ３においては、電話回線１４を介して相手先に発呼を行う。次に、ステップＳＴ４へ移行する。ステップＳＴ４においては、ＣＮＧ（コーリングトーン）信号を送信する。そして、ステップＳＴ５へ移行する。ステップＳＴ５においては、ＤＩＳ信号（ディジタル識別信号）が受信側から返送されて来て、これを受信したか否か判定する。ＤＩＳ信号を受信した場合は、ステップＳＴ７へ移行する。一方、ＤＩＳ信号を受信していない場合は、ステップＳＴ６へ移行する。ステップＳＴ６においては、Ｔ１タイマ（発呼時にセット）がタイムアップしたか否か判定する。Ｔ１タイマがタイムアップした場合は、ステップＳＴ１２へ移行する。一方、Ｔ１タイマがタイムアップでない場合は、ステップＳＴ４へ移行する。ここで、ステップＳＴ４以降では、ＤＩＳ信号を受信するかＴ１タイマがタイムアップするまで、ＣＮＧ信号送出（ＳＴ４）、ＤＩＳ信号受信かの判定（ＳＴ５）、Ｔ１タイムアップかの判定（ＳＴ６）の処理を繰り返す。
【００１６】
ステップＳＴ７においては、ＲＸプリントフラグ「１」か否か判定する。ＲＸプリントフラグに「１」が立てられている場合、つまりセットされている場合は、ステップＳＴ８へ移行する。一方、セットされていない場合は、ステップＳＴ１１へ移行する。
【００１７】
ステップＳＴ８においては、受信側のプリント最大能力（プリント可能な最大のサイズ）と、送信データサイズとを比較する。送信データサイズの方が小さいか、等しい場合に、ステップＳＴ１０へ移行する。一方、送信データサイズの方が大きい場合は、ステップＳＴ９へ移行する。ステップＳＴ９においては、送信データサイズのデータから受信最大サイズ分を抜き出す。そして、ステップＳＴ１１へ移行する。ステップＳＴ１０においては、送信データサイズが受信データサイズとなるように、周囲に余白を設ける。そして、ステップＳＴ１１へ移行する。
【００１８】
ステップＳＴ１１においては、ステップＳＴ７のＲＸプリントフラグ「１」かの判定がＮＯであった場合には、何の処理もせず、ここでデータを相手方に向けて送信する。また、ステップＳＴ９で受信最大サイズのみを抜き出した場合には、その抜き出したデータを送出する。ステップＳＴ１０において、余白を付加した場合には、その付加後のデータ、つまり見かけ上と、受信側の記録紙サイズを同じにしたデータを送信する。
【００１９】
なお、上記実施形態に関し、ステップＳＴ９において、受信最大サイズ分のみを抜き出すようにしているが、これに代えて、交信エラーの報知を出しても良い。あるいは解像度を変更して、見かけ上、受信最大サイズよりも小さくなるようにしても良い。
【００２０】
【発明の効果】
この発明によれば、受信機側で印刷させたいか否かを確認する印刷要否確認手段と、受信機側で印刷させたい場合は、送信データのサイズを印刷させたい紙サイズに適合するように変更するサイズ変更手段とを備え、受信機側で印刷させたい場合は、紙サイズに適合するように変更したサイズで、印刷させない場合は、そのままのデータサイズで送信するようにしているので、受信側で印刷させたい場合のみ、ディジタルカメラ等のように画像サイズの特定しない画像データも記録可能な画像としてファックス送信し、受信側で印刷（プリント）することができる。
【図面の簡単な説明】
【図１】この発明の一実施形態であるカラー画像通信装置の構成を示すブロック図である。
【図２】同実施形態カメラ画像通信装置の送信処理動作を説明するためのフロー図である。
【符号の説明】
１　　　　主制御部（ＣＰＵ）
２　　　　ＮＣＵ
３　　　　ＭＯＤＥＭ
４　　　　ＲＯＭ
５　　　　ＲＡＭ
６　　　　画像メモリ
７　　　　表示部
８　　　　操作部
９　　　　画像読取部
１０　　　画像記録部
１１　　　ＣＯＤＥＣ
１２　　　ＬＡＮＩ／Ｆ
１３　　　バス
１４　　　公衆電話回線
１５　　　ＬＡＮ
【図１】
2004135146.tif 000003
【図２】
2004135146.tif 000004